(57)【要約】【課題】  回路設計者の回路設計意思を反映可能なＣＡＤシステム、回路設計機器および表示方法を提供する。【解決手段】  回路設計機器は、設計された回路に関係する回路情報を生成し、生成された回路情報を出力する手段を有する。回路設計機器はレイアウト設計機器と接続されており、レイアウト設計機器は、出力された回路情報を取得し、取得された回路情報が、設計された筐体に関係する筐体情報にとって適切な回路情報であるか否かを判断し、回路情報が筐体情報にとって適切ではない回路情報であると判断された場合、適切ではない回路情報を示す不適切回路情報を生成する。回路設計機器は、レイアウト設計機器から不適切回路情報を取得し、この取得した不適切回路情報をディスプレイに表示する。【選択図】  図２
2009276984.tif 000002
【特許請求の範囲】
【請求項１】
設計された回路に関する回路情報を生成する第１の生成手段と、
前記第１の生成手段によって生成された前記回路情報を出力する第１の出力手段と、
を具備する回路設計機器と、
前記回路設計機器の前記第１の出力手段から出力された前記回路情報を取得する第１の取得手段と、
前記第１の取得手段によって取得された前記回路情報が所定の基準情報に対して適切な回路情報であるか否かを判断する判断手段と、
前記判断手段によって前記回路情報が前記所定の基準情報に対して適切ではない回路情報であると判断された場合、この適切ではない回路情報に関する不適切回路情報を生成する第２の生成手段と、
を具備するレイアウト設計機器と、
から構成されるＣＡＤシステムであり、
前記回路設計機器は、
前記レイアウト設計機器の前記第２の生成手段によって生成された前記不適切回路情報を取得する第２の取得手段と、
前記第２の取得手段によって取得した前記不適切回路情報を表示するディスプレイと、をさらに具備することを特徴とするＣＡＤシステム。
【請求項２】
前記レイアウト設計機器の前記第２の生成手段が生成した前記不適切回路情報は、前記所定の基準情報に対して適切ではない回路情報を示す情報および前記基準情報を含む情報であることを特徴とする請求項１記載のＣＡＤシステム。
【請求項３】
前記回路設計機器は、前記第２の取得手段によって取得された前記不適切回路情報に含まれる前記基準情報に対して適切な回路情報を選定する選定手段をさらに具備し、
前記ディスプレイは、前記選定手段によって選定された前記基準情報に対して適切な回路情報を表示するディスプレイであることを特徴とする請求項２記載のＣＡＤシステム。
【請求項４】
設計された回路に関する回路情報を生成する生成手段と、前記生成手段によって生成された前記回路情報を出力する出力手段とを具備する回路設計機器において、
この回路設計機器と接続されているレイアウト設計機器が、回路設計機器の前記出力手段から出力された前記回路情報を取得して、この取得された回路情報が所定の基準情報に対して適切な回路情報であるか否かを判断し、回路情報が前記所定の基準情報に対して適切ではない回路情報であると判断された場合、この適切ではない回路情報に関する不適切回路情報を生成し、前記レイアウト設計機器によって生成された前記不適切回路情報を取得する取得手段と、
前記取得手段によって取得した前記不適切回路情報を表示するディスプレイと、を具備することを特徴とする回路設計機器。
【請求項５】
前記レイアウト設計機器によって生成された前記不適切回路情報は、前記所定の基準情報に対して適切ではない回路情報を示す情報および前記基準情報を含む情報であり、
前記取得手段によって取得された前記不適切回路情報の中に含まれる前記基準情報に対して適切な回路情報を選定する選定手段をさらに具備し、
前記ディスプレイは、前記選定手段によって選定された前記基準情報に対して適切な回路情報を表示するディスプレイであることを特徴とする請求項４記載の回路設計機器。
【請求項６】
回路設計機器とレイアウト設計機器とからなるＣＡＤシステムにて実行される表示方法において、
前記回路設計機器は、
設計された回路に関する回路情報を生成し、
前記生成された前記回路情報を出力し、
前記レイアウト設計機器は、
前記回路設計機器から出力された前記回路情報を取得し、
前記取得された前記回路情報が、所定の基準情報に対して適切な回路情報であるか否かを判断し、
前記回路情報が前記所定の基準情報に対して適切ではない回路情報であると判断された場合、この適切ではない回路情報に関する不適切回路情報を生成し、
前記回路設計機器は、前記レイアウト設計機器によって生成された前記不適切回路情報を取得し、
前記取得された前記不適切回路情報をディスプレイに表示することを特徴とする表示方法。
【請求項７】
前記レイアウト設計機器によって生成された前記不適切回路情報は、前記所定の基準情報に対して適切ではない回路情報を示す情報および前記基準情報を含む情報であり、
前記取得された前記不適切回路情報の中に含まれる前記基準情報に対して適切な回路情報を選定し、
前記選定された前記基準情報に対して適切な回路情報を前記ディスプレイに表示することを特徴とする請求項６記載の表示方法。
【発明の詳細な説明】
【技術分野】
【０００１】
本発明は、ＣＡＤシステム、回路設計機器および表示方法に関する。
【背景技術】
【０００２】
近年、コンピュータを使用して、設計・製図を行うＣＡＤ（Computer Aided Design）システムの開発が進められている。ＣＡＤの開発は、分野毎に開発されており、一例を挙げると、電気用ＣＡＤ、回路用ＣＡＤ、基板用ＣＡＤといったＣＡＤが開発されている。
【０００３】
ＣＡＤシステムは、単一工程であることが稀であり、回路設計用ＣＡＤシステムを例にとれば、回路ＣＡＤシステムや実装ＣＡＤシステム等の複数の工程に分割される。回路ＣＡＤシステムにおいては回路設計等を行い、実装ＣＡＤシステムにおいては実装設計を行うといった具合である。
【０００４】
このような複数の工程で構成されるＣＡＤシステムにおいて、バックアノテーション機能が開発されている。このバックアノテーション機能とは、実装ＣＡＤ管理ファイルの実装作業データを回路ＣＡＤ管理ファイル１５０２に反映させる機能である。
【特許文献１】特開２００４−２８７８３１号公報（第５頁、第１図）
【発明の開示】
【発明が解決しようとする課題】
【０００５】
特許文献１に開示されたバックアノテーション機能を用いると実装作業データを回路ＣＡＤ管理ファイル１５０２に反映できるので、例えば回路設計者が回路ＣＡＤ管理ファイル１５０２に実装作業データをインプットするといった作業を行うことなく、容易に回路設計の修正を行うことが可能となる。
【０００６】
しかしながら、バックアノテーション機能を用いると、実装設計者が誤った実装作業データを入力してしまった場合、誤った実装作業データが回路ＣＡＤ管理ファイル１５０２に反映されてしまうといった問題点がある。さらに、バックアノテーション機能を用いて修正された回路設計データは、実装ＣＡＤシステムを操作する実装設計者の設計意思が反映されたデータであり、回路設計者の回路設計意思が反映された回路設計データであるために、回路設計者にとって不都合である。
【０００７】
そこで、本発明は、回路設計者の回路設計意思を反映可能なＣＡＤシステム、回路設計機器および表示方法を提供することを目的とする。
【課題を解決するための手段】
【０００８】
上記目的を達成するために、請求項１に関わるシステムは、設計された回路に関する回路情報を生成する第１の生成手段と、前記第１の生成手段によって生成された前記回路情報を出力する第１の出力手段と、を具備する回路設計機器と、前記回路設計機器の前記第１の出力手段から出力された前記回路情報を取得する第１の取得手段と、前記第１の取得手段によって取得された前記回路情報が所定の基準情報に対して適切な回路情報であるか否かを判断する判断手段と、前記判断手段によって前記回路情報が前記所定の基準情報に対して適切ではない回路情報であると判断された場合、この適切ではない回路情報に関する不適切回路情報を生成する第２の生成手段と、を具備するレイアウト設計機器と、から構成されるＣＡＤシステムであり、前記回路設計機器は、前記レイアウト設計機器の前記第２の生成手段によって生成された前記不適切回路情報を取得する第２の取得手段と、前記第２の取得手段によって取得した前記不適切回路情報を表示するディスプレイと、をさらに具備することを特徴とする。
【０００９】
また、請求項４に関わる回路設計機器は、設計された回路に関する回路情報を生成する生成手段と、前記生成手段によって生成された前記回路情報を出力する出力手段とを具備する回路設計機器において、この回路設計機器と接続されているレイアウト設計機器が、回路設計機器の前記出力手段から出力された前記回路情報を取得して、この取得された回路情報が所定の基準情報に対して適切な回路情報であるか否かを判断し、回路情報が前記所定の基準情報に対して適切ではない回路情報であると判断された場合、この適切ではない回路情報に関する不適切回路情報を生成し、前記レイアウト設計機器によって生成された前記不適切回路情報を取得する取得手段と、前記取得手段によって取得した前記不適切回路情報を表示するディスプレイと、を具備することを特徴とする。
【００１０】
また、請求項６に関わる表示方法は、回路設計機器とレイアウト設計機器とからなるＣＡＤシステムにて実行される表示方法において、前記回路設計機器は、設計された回路に関する回路情報を生成し、前記生成された前記回路情報を出力し、前記レイアウト設計機器は、前記回路設計機器から出力された前記回路情報を取得し、前記取得された前記回路情報が、所定の基準情報に対して適切な回路情報であるか否かを判断し、前記回路情報が前記所定の基準情報に対して適切ではない回路情報であると判断された場合、この適切ではない回路情報に関する不適切回路情報を生成し、前記回路設計機器は、前記レイアウト設計機器によって生成された前記不適切回路情報を取得し、前記取得された前記不適切回路情報をディスプレイに表示することを特徴とする。
【発明の効果】
【００１１】
本発明によれば、回路設計者の回路設計意思を反映可能なＣＡＤシステム、回路設計機器および表示方法を提供することが可能となる。
【発明を実施するための最良の形態】
【００１２】
図１は、本発明に関わるＣＡＤ（Computer aided design system）システムの一例を示すブロック図である。
【００１３】
図１に示すＣＡＤシステムは、回路設計ＣＡＤ（回路設計機器）１、レイアウト設計ＣＡＤ（レイアウト設計機器）２、回路情報ファイル１０、不適切部品情報ファイル２０、筐体情報ファイル３０から構成される。
【００１４】
回路設計ＣＡＤ１は回路設計者によって使用されるＣＡＤである。回路設計ＣＡＤ１は、回路設計者によってインプットされた情報に応じて、部品情報等を含む回路情報を生成する。部品情報とは、例えばコンデンサーといった部品に関する情報である。また、回路情報とは、部品情報、回路配線情報といった回路を構成する要素に関する情報である。
【００１５】
回路情報ファイル１０は、回路設計ＣＡＤ１およびレイアウト設計ＣＡＤ２に接続されている。回路情報ファイル１０には、回路設計ＣＡＤ１にて生成された回路情報が格納される。
【００１６】
レイアウト設計ＣＡＤ２は、レイアウト設計者によって使用されるＣＡＤである。レイアウト設計ＣＡＤ２は、回路情報ファイル１０、不適切部品情報ファイル２０および筐体情報ファイル３０に接続されている。
【００１７】
レイアウト設計ＣＡＤ２は、回路情報ファイル１０から回路情報を取得するとともに、筐体情報ファイル３０から筐体情報を取得する。筐体情報とは例えば筐体の寸法といった筐体に関する設計データである。レイアウト設計ＣＡＤ２は、後述にて詳細に説明するが、回路情報ファイル１０から取得した回路情報および筐体情報ファイル３０から取得した筐体情報に基いて、レイアウト設計にとって不適切な部品に関する情報（以下、不適切部品情報、と称す。）を生成する。
【００１８】
レイアウト設計ＣＡＤ２に接続されている不適切部品情報ファイル２０は、レイアウト設計ＣＡＤ２にて生成された不適切部品情報を格納する。
【００１９】
回路設計ＣＡＤ１は不適切部品情報ファイル２０と接続されており、回路設計ＣＡＤ１は不適切部品情報ファイル２０に格納されている不適切部品情報を取得する。
【００２０】
次に、レイアウト設計ＣＡＤ２にて生成された不適切部品情報の回路設計ＣＡＤ１による取得に関する手順について詳細に説明する。
【００２１】
図２および図３は、回路設計ＣＡＤ１およびレイアウト設計ＣＡＤ２の夫々にて実行される回路設計およびレイアウト設計の手順の一例について説明した流れ図である。
【００２２】
回路設計ＣＡＤ１は、回路設計者によってインプットされた部品情報等を含む回路情報を、回路情報ファイル１０に出力する（ステップ  Ｓ１００）。
【００２３】
レイアウト設計ＣＡＤ２は、回路情報ファイル１０に格納されている回路情報を取得する（ステップ  Ｓ１０１）。さらに、レイアウト設計ＣＡＤ２は、筐体情報ファイル３０に格納されている筐体情報を取得する（ステップ  Ｓ１０２）。
【００２４】
レイアウト設計ＣＡＤ２は、ステップＳ１０１にて回路情報ファイル１０から取得した回路情報を用いて、部品の配置およびパターンの配線を行う（ステップ  Ｓ１０３）。
【００２５】
レイアウト設計ＣＡＤ２は、ステップＳ１０３にて配置された部品および配線されたパターンが、ステップＳ１０２にて筐体情報ファイル３０から取得した筐体情報と干渉するか否かを確認する（ステップ  Ｓ１０４）。すなわち、ステップＳ１０１にて取得した回路情報が、ステップＳ１０２にて取得した筐体情報にとって適切な情報であるか否かを確認する。例えば、ステップＳ１０３にて配置された部品の寸法が、ステップＳ１０２にて取得した筐体の寸法に適しているか否かを確認する。
【００２６】
ステップＳ１０４にて確認した結果、配置された部品および配線されたパターンといった回路情報が筐体情報と干渉しないとレイアウト設計ＣＡＤ２が判断した場合（ステップ  Ｓ１０５  Ｎｏ）、一連の処理は終了する。
【００２７】
一方、ステップＳ１０４にて確認した結果、配置された部品および配線されたパターンといった回路情報が筐体情報と干渉しているとレイアウト設計ＣＡＤ２が判断した場合（ステップ  Ｓ１０５  Ｙｅｓ）、ステップＳ１０４の確認結果に基いて、筐体情報にとって適切ではない回路情報に関する情報である不適切回路情報を生成する。この生成される不適切回路情報の具体的な一例として、不適切部品情報および制限事項情報に関する情報（以下、不適切部品等情報、と称す。）が挙げられる（ステップ  Ｓ１０６）。
【００２８】
不適切部品情報とは、筐体情報にとって適切ではないと判断された回路情報に含まれる部品に関する情報である。また、制限事項情報とは、回路情報が適切であるか否かを判断するために用いられる筐体情報に基いて生成される情報である。
【００２９】
不適切部品等情報の具体例としては、図４に示すように、"不適切部品の種類"＝"コンデンサー"、"不適切部品の名称"＝"Ｃ１"、"寸法"＝"幅：Ｘｍｍ、高さ：Ｙｍｍ"、"定格値（静電容量）"＝"１０ｐＦ"、"価格"＝"Ｘ円"、"使用実績"＝"高"、"制限事項"＝"高さＺｍｍ以下"といった情報を生成する。
【００３０】
レイアウト設計ＣＡＤ２は、ステップＳ１０６にて生成した情報を、不適切部品情報ファイル２０に出力する（ステップ  Ｓ１０７）。
【００３１】
回路設計ＣＡＤ１は、不適切部品情報ファイル２０に格納されている不適切部品等情報を取得する（ステップ  Ｓ１０８）。
【００３２】
回路設計ＣＡＤ１は、ステップＳ１０８にて取得した不適切部品等情報をディスプレイに表示する（ステップ  Ｓ１０９）。回路設計ＣＡＤ１のディスプレイが不適切部品等情報等を表示することで、回路設計者はディスプレイに表示された不適切部品等情報に含まれる不適切部品情報を見て、ステップＳ１００にて回路情報ファイル１０に出力した回路情報の中にレイアウト設計ＣＡＤ２を用いてレイアウト設計を行うにあたり不適切な情報が含まれていたことを回路設計者によって認識することが可能となる。
【００３３】
さらに、回路設計ＣＡＤ１のディスプレイが不適切部品等情報に含まれる制限事項情報を表示することで、回路設計者はディスプレイに表示された制限事項情報を見て、回路情報の修正作業時に、適切な部品を選択することが可能となる。例えば、ＣＡＤ１のディスプレイに「コンデンサーの高さの制限は１０ｍｍ以下」と表示されているならば、回路設計者は、この制限事項情報をみて、高さが１０ｍｍ以下であるコンデンサーを選択し、回路情報を修正することが可能となる。
【００３４】
また、回路設計ＣＡＤ１は、ステップＳ１０８にて取得した不適切部品等情報に基いて、筐体情報にとって適切な部品情報を選定する（ステップ  Ｓ１１０）。
【００３５】
ステップＳ１１０によって選択された適切な部品情報は、図５に示すように、回路設計ＣＡＤ１のディスプレイに表示される（ステップ  Ｓ１１１）。
【００３６】
回路設計ＣＡＤ１は、ステップＳ１０９にてディスプレイに表示された不適切部品情報および選定された筐体情報にとって適切な部品情報を参考にして回路設計者によってインプットされた情報に基いて、修正された回路情報を生成する（ステップ  Ｓ１１２）。
【００３７】
回路設計ＣＡＤ１は、ステップＳ１１０にて修正された回路情報を、回路情報ファイル１０に出力する（ステップ  Ｓ１１３）。
【００３８】
図３および図４の流れ図を用いて説明したように、レイアウト設計ＣＡＤ２によって生成された不適切部品情報および制限事項情報が回路設計ＣＡＤ１に送られ、回路設計ＣＡＤ１がこれらの情報をディスプレイ等に表示することで、回路設計ＣＡＤ１を使用する回路設計者は、自身が設計した回路が筐体のデザインに対して適していない回路であることを認識し、かつ、自身が設計した回路を修正する場合、どのような部品を選択して回路の修正を行えばよいのかを認識することが可能となる。
【００３９】
なお、上述の実施形態では、回路設計ＣＡＤ１によって生成された回路情報をレイアウト設計ＣＡＤ２が筐体情報に基いて適切な回路情報であるか否かを判断する構成について説明したが、この構成に限定することは無く、例えば、レイアウト設計ＣＡＤ２が回路の質量値に基いて、回路設計ＣＡＤ１によって生成された回路情報が適切な回路情報であるか否かを判断する構成であってもよい。すなわち、レイアウト設計ＣＡＤ２が、所定の基準情報に基いて回路設計ＣＡＤ１によって生成された回路情報が適切な回路情報であるか否かを判断する構成であればよい。
【００４０】
本発明は上記実施形態をそのままに限定されるものではなく、実施段階ではその要旨を逸脱しない範囲で構成要素を変形して具体化できる。また、上記実施形態に開示されている複数の構成要素の適宜な組み合わせにより、種々の発明を形成できる。例えば、実施形態に示されている全構成要素から幾つかの構成要素を削除してもよい。さらに、異なる実施形態にわたる構成要素を適宜組み合わせてもよい。
【図面の簡単な説明】
【００４１】
【図１】本発明に関わるＣＡＤ（Computer aided design system）システムの一例を示すブロック図。
【図２】回路設計ＣＡＤ１およびレイアウト設計ＣＡＤ２の夫々にて実行される回路設計およびレイアウト設計の手順の一例について説明した第１の流れ図。
【図３】回路設計ＣＡＤ１およびレイアウト設計ＣＡＤ２の夫々にて実行される回路設計およびレイアウト設計の手順の一例について説明した第２の流れ図。
【図４】不適切部品等情報を示した画面の一例を示す図。
【図５】筐体情報にとって適切な部品情報を示した画面の一例を示す図。
【符号の説明】
【００４２】
１…回路設計ＣＡＤ、２…レイアウト設計ＣＡＤ、
１０…回路情報ファイル、２０…不適切部品情報ファイル、
３０…筐体情報ファイル、
【図１】
2009276984.tif 000003
【図２】
2009276984.tif 000004
【図３】
2009276984.tif 000005
【図４】
2009276984.tif 000006
【図５】
2009276984.tif 000007